(57)【要約】【課題】種々の魚の釣りに適した疑似餌２２の提供。【解決手段】疑似餌２２は、ヘッド２４、ラインアイ２６、フックアイ２８、掛け鈎３０、タコベイト３４、フック５６及びハリス５８を備えている。ヘッド２４は、頂部３６、側面３８及び底面４０を備えている。フックアイ２８は、側面３８に線材４４が露出することで形成されている。フックアイ２８には、ハリス５８が結ばれている。掛け鈎３０は、底面４０に線材４４が露出することで形成されている。掛け鈎３０は、一端４８、収容部５０、当接部５２及び他端５４を備えている。掛け鈎３０の弾性変形により、他端５４及び当接部５２が底面４０から離れうる。弾性変形により、収容部５０にハリス５８が掛け留めされうる。【選択図】図２
2009060863.tif 000002
【特許請求の範囲】
【請求項１】
高比重材料からなり、側面及び底面を備えたヘッド、
フック及びハリスからなるフックアッセンブリー、
このハリスをヘッドの側面に連結する連結手段
並びに
このハリスをヘッドの底面に掛け留める掛け部
を備えた疑似餌。
【請求項２】
上記掛け部が、その一端がヘッドに固定され他端が本体に向かって付勢された掛け鈎であり、この付勢力に抗して他端がヘッドから離されることで、ハリスが通過する間隙が掛け鉤とヘッドとの間に形成されるように構成された請求項１に記載の疑似餌。  
【請求項３】
上記連結手段及び掛け部が、その一部がヘッドに埋設された１本の線材からなる請求項１又は２に記載の疑似餌。
【請求項４】
上記ヘッドにラインを連結するためのラインアイをさらに備えており、上記連結手段、掛け部及びラインアイが、その一部がヘッドに埋設された１本の線材からなる請求項３に記載の疑似餌。
【発明の詳細な説明】
【技術分野】
【０００１】
本発明は、釣りに用いられる疑似餌に関する。
【背景技術】
【０００２】
ブリ及びその幼魚、カンパチ、ヒラマサのような、青物と称される魚をターゲットとして、ジギングと称される釣りが行われている。この釣りでは、金属製のジグが用いられる。釣り人は、このジグに連結されたラインを主として鉛直方向に引き、青物を誘う。このジグを生きた小魚と勘違いした青物は、下方から上方へとジグを追いかけ、このジグに食いつく。このジグに連結されたフックが青物の口に吸い込まれ、フックが青物に突き刺さって、青物が釣り上げられる。
【０００３】
インチクと称される疑似餌を用いて、鯛釣りが行われている。図８は、従来の疑似餌２が示された正面図である。この疑似餌２は、金属製のヘッド４、フックアッセンブリー６、スプリットリング８及びタコベイト１０を備えている。ヘッド４は、孔１２を備えている。ヘッド４はさらに、ラインアイ１４を備えている。フックアッセンブリー６は、フック１６及びハリス１８を備えている。ハリス１８は、孔１２を貫通している。ハリス１８の端には、スプリットリング８が取り付けられている。このスプリットリング８のサイズは、孔１２の内径よりも大きい。スプリットリング８は、孔１２に入り得ない。このスプリットリング８により、ハリス１８の孔１２からの脱抜が阻止される。タコベイト１０は、ゴム製である。タコベイト１０には、ハリス１８が貫通している。
【０００４】
この疑似餌２は、ラインアイ１４にライン２０が結ばれた状態で、海底に沈められる。ライン２０が比較的ゆっくりと引かれ、疑似餌２が海水中を上昇する。タコベイト１０は、潮の流れにより、水圧を受ける。この水圧によりタコベイト１０は、図８に示されるように、ヘッド４から斜め下方に延びる姿勢を取る。これに伴い、フックアッセンブリー６も、ヘッド４から斜め下方に延在する。左右方向において、フック１６はヘッド４から離れている。このタコベイト１０は、水圧を受けて揺らめく。この揺らめきにより、鯛はタコベイト１０を生きた餌と勘違いし、これに食いつく。フック１６が鯛に刺さって、鯛が釣り上げられる。
【発明の開示】
【発明が解決しようとする課題】
【０００５】
疑似餌２は、鯛をターゲットにした釣りに主として用いられる。釣り人が鯛をねらって疑似餌２を海中に沈めているとき、この疑似餌２に、釣り人の意図に反して青物が食いつくことがある。鯛をねらって釣り船が出船しても、鯛の群れが発見されず、青物の群れに遭遇することがある。このときは、疑似餌２によって、意図的に青物が釣られる。換言すれば、ジグの代用品としてこの疑似餌２が使用される。
【０００６】
青物は、下方から上方へと泳ぎつつ、疑似餌２に食いつく。フックアッセンブリー６がヘッド４から斜め下方に延在し、フック１６がヘッド４から離れているので、青物がヘッド４に食いついても、フック１６が青物に突き刺さらないことが多い。この疑似餌２による青物のフッキング率は、あまり高くない。
【０００７】
本発明の目的は、種々の魚の釣りに適した疑似餌の提供にある。
【課題を解決するための手段】
【０００８】
本発明に係る疑似餌は、
高比重材料からなり、側面及び底面を備えたヘッド、
フック及びハリスからなるフックアッセンブリー、
このハリスをヘッドの側面に連結する連結手段
並びに
このハリスをヘッドの底面に掛け留める掛け部
を備える。
【０００９】
好ましくは、掛け部は、その一端がヘッドに固定され他端が本体に向かって付勢された掛け鈎である。この付勢力に抗して他端がヘッドから離されることで、ハリスが通過する間隙が掛け鉤とヘッドとの間に形成される。  
【００１０】
好ましくは、連結手段及び掛け部は、その一部がヘッドに埋設された１本の線材からなる。
【００１１】
疑似餌が、ヘッドにラインを連結するためのラインアイをさらに備えてもよい。好ましくは、連結手段、掛け部及びラインアイは、その一部がヘッドに埋設された１本の線材からなる。
【発明の効果】
【００１２】
本発明に係る疑似餌では、ハリスが掛け部に掛け留めされないときは、フックアッセンブリーがヘッドから斜め下方に延在し、フックがヘッドから離れて位置する。この状態の疑似餌は、鯛釣りに適している。ハリスが掛け部に掛け留めされたときは、フックがヘッドの近くに位置する。この状態の疑似餌は、青物釣りに適している。この疑似餌では、鯛釣りに適した状態と青物釣りに適した状態とが、容易に切り替えられうる。
【発明を実施するための最良の形態】
【００１３】
以下、適宜図面が参照されつつ、好ましい実施形態に基づいて本発明が詳細に説明される。
【００１４】
図１は、本発明の一実施形態に係る疑似餌２２が示された正面図である。図２は、図１の疑似餌２２の一部が示された拡大断面図である。この疑似餌２２は、ヘッド２４、ラインアイ２６、連結手段としてのフックアイ２８、掛け鈎３０、フックアッセンブリー３２及びタコベイト３４を備えている。この疑似餌２２は、インチクと称されている。
【００１５】
ヘッド２４は、概して釣鐘に類似の外形を呈する。ヘッド２４は、頂部３６、側面３８及び底面４０を備えている。図２に示されるように、側面３８の一部は抉られている。この抉りにより、抉剔部４２が形成されている。抉剔部４２は、図２中右下に形成されている。この抉剔部４２は、ヘッド２４の底面４０にまで至っている。ヘッド２４が、他の形状を有してもよい。
【００１６】
ヘッド２４は、海水よりも高比重な材料からなる。従って、ヘッド２４は海水に沈む。典型的には、ヘッド２４は、高比重金属からなる。好ましい高比重金属としては、鉛、鉛合金、タングステン及びタングステン合金が例示される。高比重金属が用いられることにより、小さなサイズと大きな質量とを兼ね備えたヘッド２４が得られる。この疑似餌２２は、海水中を速い速度で沈降する。この疑似餌２２は、潮に流されることなく目的のポイントに着底しうる。ヘッド２４の質量は、４０ｇから３００ｇ、特には６０ｇから２００ｇである。ヘッド２４の表面にメッキ処理が施されることが好ましい。メッキ処理が施されたヘッド２４は、光沢を有する。この光沢は、魚にアピールする。
【００１７】
図２に示されるように、ラインアイ２６、フックアイ２８及び掛け鈎３０は、１本の線材４４が曲げられて形成されている。この線材４４の一部は、ヘッド２４に埋設されている。１本の線材４４が用いられることにより、ラインアイ２６、フックアイ２８及び掛け鈎３０が低コストで形成されうる。１本の線材４４が用いられることにより、ラインアイ２６、フックアイ２８及び掛け鈎３０の、ヘッド２４からの脱抜が阻止されうる。線材４４の典型的な材質は、ステンレススチールである。
【００１８】
ラインアイ２６は、頂部３６に線材４４が露出することで形成されている。図１に示されるように、ラインアイ２６にはライン４６が結ばれる。ライン４６が、金具を介してラインアイ２６に連結されてもよい。
【００１９】
フックアイ２８は、側面３８に線材４４が露出することで形成されている。フックアイ２８には、図１に示されるように、後述されるハリスが結ばれる。ハリスが、金具を介してフックアイ２８に連結されてもよい。
【００２０】
掛け鈎３０は、底面４０に線材４４が露出することで形成されている。掛け鈎３０は、一端４８、収容部５０、当接部５２及び他端５４を備えている。前述の通り、線材４４がヘッド２４に埋設されているので、一端４８はヘッド２４に堅固に固定されている。収容部５０は、図２中の下向きに凸である。当接部５２は、図２中の上向きに凸である。当接部５２は、ヘッド２４の底面４０と当接している。他端５４は、ヘッド２４から離れている。線材４４が弾性変形しうるので、掛け鈎３０は全体的にスプリングとして機能する。このスプリングにより、当接部５２及び他端５４は、ヘッド２４に向かって付勢されている。
【００２１】
図１に示されるように、フックアッセンブリー３２は、２つのフック５６及びハリス５８からなる。フック５６は、ハリス５８に固定されている。フック５６は、金属材料からなる。ハリス５８は、柔軟な材料からなる。ハリス５８の典型的な材質は、アラミド繊維（登録商標「ケブラー」）である。ハリス５８は、フックアイ２８に結ばれている。ハリス５８は、フックアイ２８により、ヘッド２４の側面３８に連結されている。
【００２２】
タコベイト３４は、軟質である。タコベイト３４は、ゴム組成物又は樹脂組成物からなる。タコベイト３４は、タコに類似の形態を有する。タコベイト３４には、ハリス５８が貫通している。この貫通により、タコベイト３４がハリス５８に固定されている。ライン４６が引かれて疑似餌２２が海水中を上昇すると、水圧を受けて、タコベイト３４が揺らめく。タコベイト３４に変えて、他の軟質ベイトが用いられてもよい。他の軟質ベイトとしては、多数のゴム糸からなるスカート、帯状のゴムシートからなるネクタイ等があげられる。
【００２３】
この疑似餌２２は、釣り人によって海水に投入される。疑似餌２２は高比重なヘッド２４を備えているので、海水中を沈降して着底する。釣り人がライン４６を引くことで、疑似餌２２は海水中を上昇する。上昇中、タコベイト３４は、潮の流れによって横方向の水圧を受ける。この水圧により、タコベイト３４は、図１に示されるように、ヘッド２４から斜め下方に延びる姿勢を取る。これに伴い、フックアッセンブリー３２も、ヘッド２４から斜め下方に延在する。左右方向において、フック５６はヘッド２４から離れている。水圧により、タコベイト３４は揺らめく。この揺らめきは、鯛にアピールする。鯛は、タコベイト３４を生きた餌と勘違いし、タコベイト３４に食いつく。フック５６が鯛に突き刺さり、鯛が釣り上げられる。
【００２４】
図３は、図１の疑似餌２２が示された正面図である。図４は、図３の疑似餌２２の一部が示された拡大断面図である。図３及び４では、ハリス５８は抉剔部４２を通過し、底面４０にまで至っている。ハリス５８は、掛け鈎３０に掛け留められている。タコベイト３４は底面４０の直下に位置している。
【００２５】
水圧を受けて、タコベイト３４は、ヘッド２４から斜め下方に延びる姿勢を取る。ハリス５８が掛け鈎３０に掛け留められているので、タコベイト３４が斜め下方に延びる姿勢を取っても、フック５６はヘッド２４の近くに位置する。青物が下方から疑似餌２２を追いかけ、ヘッド２４に食いついた場合でも、フック５６が青物に突き刺さりやすい。フッキングの後、青物があばれると、掛け鈎３０からハリス５８が外れることがある。この場合でも、ハリス５８はフックアイ２８に結ばれているので、取り逃がされることなく青物が釣り上げられる。
【００２６】
この疑似餌２２が図１及び２に示された状態にあるとき、この疑似餌２２は鯛に十分にアピールする。この状態は、鯛釣りに適している。この疑似餌２２が図３及び４に示された状態にあるとき、この疑似餌２２において青物に対する高いフッキング率が達成される。この状態は、青物釣りに適している。この疑似餌２２は、鯛釣り及び青物釣りの両方に適している。
【００２７】
図５（ａ）から（ｃ）は、図１の疑似餌２２の一部が示された正面図である。図５（ａ）では、ハリス５８は、当接部５２よりも左に位置している。ハリス５８が右に引かれると、図５（ｂ）に示されるように、スプリングの付勢力に抗して掛け鈎３０が弾性変形し、他端５４及び当接部５２が底面４０から離れる。底面４０と当接部５２との間には、間隙が形成される。この間隙を、ハリス５８が通過する。ハリス５８は、図５（ｃ）に示されるように、収容部５０と底面４０との間に収容される。ハリス５８の通過後、掛け鈎３０が復元し、当接部５２がヘッド２４と当接して間隙が消滅する。ハリス５８は、掛け鈎３０から容易にははずれない。この掛け留めの作業は極めて簡便であり、短時間でなされる。
【００２８】
ハリス５８が掛け鈎３０からはずされるには、図５（ｃ）に示された状態において、ハリス５８が右へと引かれる。図５（ｂ）に示されるように、スプリングの付勢力に抗して掛け鈎３０が弾性変形し、他端５４及び当接部５２がヘッド２４から離れる。ヘッド２４と当接部５２との間には、間隙が形成される。この間隙を、ハリス５８が通過する。ハリス５８は、図５（ａ）に示されるように、当接部５２の左に移動する。この疑似餌２２では、鯛釣りに適した状態と青物釣りに適した状態とが、容易に切り替えられうる。
【００２９】
図６は、本発明の他の実施形態に係る疑似餌６２が示された正面図である。図７は、図６の疑似餌６２の一部が示された拡大断面図である。この疑似餌６２は、ヘッド６４、ラインアイ６６、掛け鈎６８、フックアッセンブリー３２、スプリットリング７２及びタコベイト３４を備えている。
【００３０】
ヘッド６４は、頂部７４、側面７６及び底面７８を備えている。図７に示されるように、側面７６の一部は抉られている。この抉りにより、抉剔部８０が形成されている。ヘッド６４はさらに、孔８２を備えている。孔８２は、抉剔部８０から斜め上方に延びている。孔８２は、ヘッド６４を貫通している。
【００３１】
ラインアイ６６は、頂部７４に位置している。ラインアイ６６は、金属線が曲げられて形成されている。金属線の端８４は、ヘッド６４に埋設されている。この埋設により、ラインアイ６６がヘッド６４に堅固に固定されている。
【００３２】
掛け鈎６８は、底面７８に位置している。掛け鈎６８は、金属線が曲げられて形成されている。掛け鈎６８は、一端８６、収容部８８、当接部９０及び他端９２を備えている。一端８６は、ヘッド６４に埋設されている。この埋設により、一端８６はヘッド６４に堅固に固定されている。収容部８８は、図７中の下向きに凸である。当接部９０は、図７中の上向きに凸である。当接部９０は、底面７８と当接している。他端９２は、底面７８から離れている。掛け鈎６８は、全体的にスプリングとして機能する。このスプリングにより、当接部９０及び他端９２は、ヘッド６４に向かって付勢されている。
【００３３】
フックアッセンブリー３２は、２つのフック５６及びハリス５８からなる。ハリス５８は孔８２を通されている。このハリス５８は、スプリットリング７２に結ばれている。このスプリットリング７２のサイズは、孔８２の内径よりも大きい。スプリットリング７２は、孔８２に入り得ない。このスプリットリング７２により、ハリス５８の孔８２からの脱抜が阻止される。孔８２により、ハリス５８がヘッド６４の側面７６に連結されている。孔８２は、連結手段である。
【００３４】
釣り人がライン４６を引くことで、疑似餌６２は海水中を上昇する。上昇中、タコベイト３４は、潮の流れによって横方向の水圧を受ける。この水圧により、タコベイト３４は、図６に示されるように、ヘッド６４から斜め下方に延びる姿勢を取る。これに伴い、フックアッセンブリー３２も、ヘッド６４から斜め下方に延在する。左右方向において、フック５６はヘッド６４から離れている。水圧により、タコベイト３４は揺らめく。この揺らめきは、鯛にアピールする。鯛は、タコベイト３４を生きた餌と勘違いし、タコベイト３４に食いつく。フック５６が鯛に突き刺さり、鯛が釣り上げられる。
【００３５】
ハリス５８は、掛け鈎６８に掛け留めされうる。掛け留めにより、タコベイト３４は底面７８の直下に位置する。水圧を受けて、タコベイト３４は、ヘッド６４から斜め下方に延びる姿勢を取る。ハリス５８が掛け鈎６８に掛け留められているので、タコベイト３４が斜め下方に延びる姿勢を取っても、フック５６はヘッド６４の近くに位置する。青物が下方から疑似餌６２を追いかけ、ヘッド６４に食いついた場合でも、フック５６が青物に突き刺さりやすい。
【００３６】
ハリス５８の掛け鈎６８への掛け留めは、掛け鈎６８の弾性変形によって容易になされうる。ハリス５８の掛け鈎６８からの取り外しは、掛け鈎６８の弾性変形によって容易になされうる。この疑似餌６２では、鯛釣りに適した状態と青物釣りに適した状態とが、容易に切り替えられうる。この疑似餌６２は、鯛釣り及び青物釣りの両方に適している。
【産業上の利用可能性】
【００３７】
本発明に係る疑似餌は、太刀魚、ヒラメ、アイナメ、マゴチ、フグ等の、種々の魚をターゲットにした釣りに適している。
【図面の簡単な説明】
【００３８】
【図１】図１は、本発明の一実施形態に係る疑似餌が示された正面図である。
【図２】図２は、図１の疑似餌の一部が示された拡大断面図である。
【図３】図３は、図１の疑似餌が示された正面図である。
【図４】図４は、図３の疑似餌の一部が示された拡大断面図である。
【図５】図５（ａ）から（ｃ）は、図１の疑似餌の一部が示された正面図である。
【図６】図６は、本発明の他の実施形態に係る疑似餌が示された正面図である。
【図７】図７は、図６の疑似餌の一部が示された拡大断面図である。
【図８】図８は、従来の疑似餌が示された正面図である。
【符号の説明】
【００３９】
２２、６２・・・疑似餌
２４、６４・・・ヘッド
２６、６６・・・ラインアイ
２８・・・フックアイ
３０、６８・・・掛け鈎
３２・・・フックアッセンブリー
３４・・・タコベイト
３８、７６・・・側面
４０、７８・・・底面
４４・・・線材
４８、８６・・・一端
５４、９２・・・他端
５６・・・フック
５８・・・ハリス
【図１】
2009060863.tif 000003
【図２】
2009060863.tif 000004
【図３】
2009060863.tif 000005
【図４】
2009060863.tif 000006
【図５】
2009060863.tif 000007
【図６】
2009060863.tif 000008
【図７】
2009060863.tif 000009
【図８】
2009060863.tif 000010